【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
複数のレンズ群を有し、フォーカシングに際して隣り合うレンズ群の間隔が変化する光学系であって、
最も物体側に配置された正の屈折力のレンズ群と、フォーカシングに際して移動する負の屈折力のフォーカスレンズ群ＬＦ１、及びフォーカシングに際して移動する負の屈折力のフォーカスレンズ群ＬＦ２を有し、
前記フォーカスレンズ群ＬＦ１の焦点距離をｆｎ１、前記フォーカスレンズ群ＬＦ２の焦点距離をｆｎ２、無限遠から至近距離へのフォーカシングに際しての前記フォーカスレンズ群ＬＦ１の移動量をｍｎ１、無限遠から至近距離へのフォーカシングに際しての前記フォーカスレンズ群ＬＦ２の移動量をｍｎ２とし、無限遠に合焦しているときと比較して至近距離に合焦しているときにフォーカスレンズ群が像側へ移動する場合の前記移動量の符号を正とするとき、
−０．８０＜ｍｎ１／ｆｎ１＜−０．２２
−０．８０＜ｍｎ２／ｆｎ２＜−０．２２
なる条件式を満足することを特徴とする光学系。
【請求項２】
前記フォーカスレンズ群ＬＦ１と前記フォーカスレンズ群ＬＦ２の間に配置され、正の屈折力を有する中間レンズ群をさらに含み、前記中間レンズ群の焦点距離をｆｐ、無限遠にフォーカスしているときの全系の焦点距離をｆｉｎｆとするとき、
０．２＜ｆｐ／ｆｉｎｆ＜２．０
なる条件式を満足することを特徴とする請求項１に記載の光学系。
【請求項３】
無限遠にフォーカスしているときの全系の焦点距離をｆｉｎｆとするとき、
−１．０＜ｆｎ１／ｆｉｎｆ＜−０．２
なる条件式を満足することを特徴とする請求項１又は２に記載の光学系。
【請求項４】
無限遠にフォーカスしているときの全系の焦点距離をｆｉｎｆとするとき、
−１．０＜ｆｎ２／ｆｉｎｆ＜−０．２
なる条件式を満足することを特徴とする請求項１乃至３のいずれか１項に記載の光学系。
【請求項５】
無限遠に合焦しているときにおける前記フォーカスレンズ群ＬＦ１の横倍率をβｉｎｆ１、撮影倍率が等倍となる物体距離に合焦しているときにおける前記フォーカスレンズ群ＬＦ１の横倍率をβｍｏｄ１とするとき、
１．０＜βｉｎｆ１／βｍｏｄ１＜１０．０
なる条件式を満足することを特徴とする請求項１乃至４のいずれか１項に記載の光学系。
【請求項６】
無限遠に合焦しているときにおける前記フォーカスレンズ群ＬＦ２の横倍率をβｉｎｆ２、撮影倍率が等倍となる物体距離に合焦しているときにおける前記フォーカスレンズ群ＬＦ２の横倍率をβｍｏｄ２とするとき、
１．０＜βｉｎｆ２／βｍｏｄ２＜１０．０
なる条件式を満足することを特徴とする請求項１乃至５のいずれか１項に記載の光学系。 
【請求項７】
最も物体側に配置された正の屈折力のレンズ群の焦点距離をｆ１、無限遠にフォーカスしているときの全系の焦点距離をｆｉｎｆとするとき、
０．１＜ｆ１／ｆｉｎｆ＜１．０
なる条件式を満足することを特徴とする請求項１乃至６のいずれか１項に記載の光学系。 
【請求項８】
前記光学系は、物体側から像側へ順に配置された、正の屈折力の第１レンズ群、負の屈折力の第２レンズ群、正の屈折力の第３レンズ群と、負の屈折力の第４レンズ群、正の屈折力の第５レンズ群より構成され、前記第２レンズ群は前記フォーカスレンズ群ＬＦ１であり、前記第４レンズ群は前記フォーカスレンズ群ＬＦ２であり、無限遠から近距離へのフォーカシングに際して前記第２レンズ群と前記第４レンズ群が像側へ移動することを特徴とする請求項１乃至７のいずれか１項に記載の光学系。
【請求項９】
前記第２レンズ群と前記第４レンズ群がフォーカシングに際して互いに異なる軌跡で移動することを特徴とする請求項８に記載の光学系。
【請求項１０】
前記第１レンズ群と前記第３レンズ群はフォーカシングに際して不動であることを特徴とする請求項８又は９に記載の光学系。
【請求項１１】
フォーカシングに際して前記第５レンズ群が移動することを特徴とする請求項８乃至１０のいずれか１項に記載の光学系。
【請求項１２】
フォーカシングに際して前記第１レンズ群、前記第３レンズ群、前記第５レンズ群は互いに異なる軌跡で移動することを特徴とする請求項８又は９に記載の光学系。
【請求項１３】
請求項１乃至１２のいずれか１項に記載の光学系と、該光学系によって形成される像を受光する光電変換素子とを備えることを特徴とする撮像装置。
【手続補正２】
【補正対象書類名】明細書
【補正対象項目名】００１０
【補正方法】変更
【補正の内容】
【００１０】
本発明の光学系は、複数のレンズ群を有し、フォーカシングに際して隣り合うレンズ群の間隔が変化する光学系であって、
最も物体側に配置された正の屈折力のレンズ群と、フォーカシングに際して移動する負の屈折力のフォーカスレンズ群ＬＦ１、及びフォーカシングに際して移動する負の屈折力のフォーカスレンズ群ＬＦ２を有し、
前記フォーカスレンズ群ＬＦ１の焦点距離をｆｎ１、前記フォーカスレンズ群ＬＦ２の焦点距離をｆｎ２、無限遠から至近距離へのフォーカシングに際しての前記フォーカスレンズ群ＬＦ１の移動量をｍｎ１、無限遠から至近距離へのフォーカシングに際しての前記フォーカスレンズ群ＬＦ２の移動量をｍｎ２とし、無限遠に合焦しているときと比較して至近距離に合焦しているときにフォーカスレンズ群が像側へ移動する場合の前記移動量の符号を正とするとき、
−０．８０＜ｍｎ１／ｆｎ１＜−０．２２
−０．８０＜ｍｎ２／ｆｎ２＜−０．２２
なる条件式を満足することを特徴としている。
【手続補正３】
【補正対象書類名】明細書
【補正対象項目名】００１３
【補正方法】変更
【補正の内容】
【００１３】
以下、本発明の光学系及びそれを有する撮像装置について説明する。本発明の光学系は、複数のレンズ群を有し、フォーカシングに際して隣り合うレンズ群の間隔が変化する。複数のレンズ群のうち、最も物体側には正の屈折力のレンズ群が配置されている。そしてフォーカシングに際して移動する負の屈折力のフォーカスレンズ群ＬＦ１、及びフォーカシングに際して移動する負の屈折力のフォーカスレンズ群ＬＦ２を有する。フォーカスレンズ群ＬＦ１とフォーカスレンズ群ＬＦ２の間に配置された正の屈折力の中間レンズ群を有している。
【手続補正４】
【補正対象書類名】明細書
【補正対象項目名】００２０
【補正方法】変更
【補正の内容】
【００２０】
非点収差図において、ｄＭはｄ線のメリディオナル像面、ｄＳはｄ線のサジタル像面を表わす。ｇＭはｇ線のメリディオナル像面、ｇＳはｇ線のサジタル像面を表わす。倍率色収差図においてｇはｇ線、ＣはＣ線、ＦはＦ線を表わす。ＦｎｏはＦナンバーである。各実施例においてフォーカシングに際しては少なくとも２つの負の屈折力のレンズ群（フォーカスレンズ群ＬＦ１、フォーカスレンズ群ＬＦ２）が移動する。
【手続補正５】
【補正対象書類名】明細書
【補正対象項目名】００２１
【補正方法】変更
【補正の内容】
【００２１】
このときのフォーカスレンズ群ＬＦ１と、フォーカスレンズ群ＬＦ２の焦点距離を各々ｆｎ１、ｆｎ２とする。無限遠から至近距離へのフォーカシングに際してのフォーカスレンズ群ＬＦ１と、フォーカスレンズ群ＬＦ２の移動量を各々ｍｎ１、ｍｎ２とする。移動量の符号は無限遠に合焦しているときと比較して至近距離に合焦しているときにフォーカスレンズ群が像側へ移動する場合を正とする。このとき、
−０．８０＜ｍｎ１／ｆｎ１＜−０．２２  ・・・（１ａ）
−０．８０＜ｍｎ２／ｆｎ２＜−０．２２  ・・・（１ｂ）
なる条件式を満足する。
【手続補正６】
【補正対象書類名】明細書
【補正対象項目名】００２２
【補正方法】変更
【補正の内容】
【００２２】
条件式（１ａ）、（１ｂ）はフォーカスレンズ群ＬＦ１と、フォーカスレンズ群ＬＦ２の移動量と焦点距離に関するものである。条件式（１ａ）、（１ｂ）の上限を超えてフォーカスレンズ群ＬＦ１と、フォーカスレンズ群ＬＦ２の屈折力の絶対値が小さくなると（負の屈折力が小さくなると）フォーカシングにおけるフォーカスレンズ群の移動量が増え、レンズ全長が大型化してくる。また条件式（１ａ）、（１ｂ）の下限を超えてフォーカスレンズ群ＬＦ１と、フォーカスレンズ群ＬＦ２の屈折力の絶対値が大きくなると（負の屈折力が大きくなると）諸収差の変動が大きくなり、光学性能を良好に保つことが困難となる。
【手続補正７】
【補正対象書類名】明細書
【補正対象項目名】００２４
【補正方法】変更
【補正の内容】
【００２４】
本発明において更に好ましくは次の条件式のうち１以上を満足するのが良い。中間レンズ群の焦点距離をｆｐ、無限遠にフォーカスしているときの全系の焦点距離をｆｉｎｆとする。無限遠にフォーカスしているときのフォーカスレンズ群ＬＦ１と、フォーカスレンズ群ＬＦ２の横倍率を各々βｉｎｆ１，βｉｎｆ２とする。また、等倍状態にフォーカスしているときのフォーカスレンズ群ＬＦ１と、フォーカスレンズ群ＬＦ２の横倍率を各々βｍｏｄ１，βｍｏｄ２とする。最も物体側に配置された正の屈折力のレンズ群の焦点距離をｆ１とする。このとき、次の条件式のうち１以上を満足するのが良い。
【手続補正８】
【補正対象書類名】明細書
【補正対象項目名】００２５
【補正方法】変更
【補正の内容】
【００２５】
０．２＜ｆｐ／ｆｉｎｆ＜２．０            ・・・（２）
−１．０＜ｆｎ１／ｆｉｎｆ＜−０．２      ・・・（３ａ）
−１．０＜ｆｎ２／ｆｉｎｆ＜−０．２      ・・・（３ｂ）
１．０＜βｉｎｆ１／βｍｏｄ１＜１０．０  ・・・（４ａ）
１．０＜βｉｎｆ２／βｍｏｄ２＜１０．０  ・・・（４ｂ）
０．１＜ｆ１／ｆｉｎｆ＜１．０            ・・・（５）
【手続補正９】
【補正対象書類名】明細書
【補正対象項目名】００２６
【補正方法】変更
【補正の内容】
【００２６】
次に前述の各条件式の技術的意味について説明する。条件式（２）は２つのフォーカスレンズ群ＬＦ１と、フォーカスレンズ群ＬＦ２の間に配置された中間レンズ群の焦点距離に関するものである。条件式（２）の上限を超えて中間レンズ群の正のパワーが弱くなると、光線を収斂させる力が弱くなり、フォーカスレンズ群ＬＦ１と、フォーカスレンズ群ＬＦ２が大型化してくる。条件式（２）の下限を超えて中間レンズ群のパワーが強くなると、フォーカシングに際して収差変動が増大し、諸収差を良好に保つことが困難となる。
【手続補正１０】
【補正対象書類名】明細書
【補正対象項目名】００２７
【補正方法】変更
【補正の内容】
【００２７】
条件式（３ａ），（３ｂ）はフォーカスレンズ群ＬＦ１と、フォーカスレンズ群ＬＦ２の焦点距離に関するものである。条件式（３ａ），（３ｂ）の上限を超えてフォーカスレンズ群ＬＦ１と、フォーカスレンズ群ＬＦ２の負のパワーが強くなると、諸収差を良好に保つことが困難となる。条件式（３ａ），（３ｂ）の下限を超えてフォーカスレンズ群ＬＦ１と、フォーカスレンズ群ＬＦ２の負のパワーが弱くなると、フォーカシングに際しての移動量が増え、レンズ全長が増大してくる。
【手続補正１１】
【補正対象書類名】明細書
【補正対象項目名】００２８
【補正方法】変更
【補正の内容】
【００２８】
条件式（４ａ），（４ｂ）は、負の屈折力のフォーカスレンズ群ＬＦ１と、負の屈折力のフォーカスレンズ群ＬＦ２の横倍率に関する式である。条件式（４ａ），（４ｂ）の上限を超えて横倍率の変化が大きくなると、諸収差を良好に保つことが困難となる。また条件式（４ａ），（４ｂ）を超えて横倍率の変化が小さくなるとフォーカシングに際しての移動量が増大し、全系が大型化してくる。
【手続補正１２】
【補正対象書類名】明細書
【補正対象項目名】００３０
【補正方法】変更
【補正の内容】
【００３０】
０．３＜ｆｐ／ｆｉｎｆ＜０．５            ・・・（２ａ）
−０．４０＜ｆｎ１／ｆｉｎｆ＜−０．２５  ・・・（３ａａ）
−０．８０＜ｆｎ２／ｆｉｎｆ＜−０．４０  ・・・（３ｂｂ）
１．０＜βｉｎｆ１／βｍｏｄ１＜３．９    ・・・（４ａａ）
１．０＜βｉｎｆ２／βｍｏｄ２＜３．９    ・・・（４ｂｂ）
０．４＜ｆ１／ｆｉｎｆ＜０．６３            ・・・（５ａ）